(57)【要約】【課題】  一般に魚を効率よく釣り上げるには、魚信と同時に合わせ動作をする必要があるが、往々にして合わせ動作が遅れ、魚を取り逃がすことが多々あった。この問題を解決するために自動合わせ機能を有する竿やルアー及び仕掛け等が発明されているが、いずれも機構が複雑で、安価に実現することが不可能であった。【解決手段】  合わせ動作の原動力として弾性体の軸方向の復元力を利用し、魚信と同期する原動力として前記弾性体の円周方向の復元力を利用することにより、簡単安価に自動合わせ機能を有する釣具を実現した。【選択図】図７
2017112874.tif 000002
【特許請求の範囲】
【請求項１】
弾性体上部を円周方向に回転不可能に筐体上部に固着し、筒状に伸びた前記筐体底部に前記弾性体下部に連結して設けた突起部が通過可能な間隙を配設すると共に、前記突起部を前記筐体底部の間隙を通過させた後、円周方向に回転させたとき、例えば定常状態から４５度、９０度及び１３５度回転させた位置に前記突起部を支持する機構を各々配設し、前記弾性体下部に前記突起部を介し魚信を印加可能として構成された釣具。
【請求項２】
前記突起部を支持する機構に配設した回転防止用の溝の深度、回転防止用の壁面の高さを各支持機構ごとに異なる値に設定した請求項１記載の釣具。
【発明の詳細な説明】
【技術分野】
【０００１】
本発明は、魚信を感知して自動的に合わせ動作を可能とした釣具に関する。
【背景技術】
【０００２】
一般に魚を効率よく釣り上げるには、魚信と同時に合わせ動作をする必要があるが、往々にして合わせ動作が遅れ、魚を取り逃がすことが多々あった。
【０００３】
浮き釣りや脈釣り等の漁法と同様に、延縄漁のような大規模な漁においても魚信に対する合わせ動作は収獲率を向上させる上で重要である。
【０００４】
上記理由により、自動合わせ機能を有する竿やルアー及び仕掛け等が発明されている。（例えば特許文献１、２及び３）
【先行技術文献】
【特許文献】
【０００５】
【特許文献１】特開１９９７−２３３９７１
【特許文献２】特開１９９８−２２９７９９
【特許文献３】特開２００５−２４５２６２
【発明の概要】
【発明が解決しようとする課題】
【０００６】
以上に記した従来の自動合わせ機能を有する釣具はいずれも機構が複雑で、安価に実現することが不可能であった。
【０００７】
本発明は、上記した従来の自動合わせ機能を有する釣具の課題を解決しようとするもので、安価で簡便な自動合わせ機能を有する釣具を提供することを目的とする。
【課題を解決するための手段】
【０００８】
本発明は、上記目的を達成するために、合わせ動作の原動力として弾性体の復元力を利用し、魚信と同期して釣り針に前記弾性体の復元力を印加せしめる簡単な新規機構を具備することにより、自動合わせ機能を有する釣具を実現した。
【発明の効果】
【０００９】
本発明によれば上記した構成により、浮き釣りや脈釣り等の漁法は勿論、延縄漁のような大規模な漁においても魚信に対する自動合わせ動作により、収獲率を向上させることが可能となる。
【００１０】
特に延縄漁のような大規模な漁においては収獲率が向上した分、仕掛ける釣り針及び餌が減少するので、手間暇と餌代が大幅に改善され、更に仕掛けそのものが縮小されるので、漁船の負荷が軽減され、燃費も大きく改善される。
【図面の簡単な説明】
【００１１】
【図１】本発明の第１の実施例を示す一部断面で示した概略図である。
【図２】上記図１の底面図である。
【図３】本発明の第１の実施例を示す一部断面で示した概略図である。
【図４】上記図３の底面図である。
【図５】本発明の第２の実施例を示す一部断面で示した概略図である。
【図６】上記図５の底面図である。
【図７】本発明の第２の実施例を示す一部断面で示した概略図である。
【図８】上記図７の底面図である。
【図９】本発明の説明に供した底面図である。
【図１０】本発明の説明に供した底面図である。
【図１１】誤動作防止対策の説明図である。
【図１２】誤動作防止対策の説明図である。
【図１３】誤動作防止対策の説明図である。            図面内に付された符号は図１から図１３全てにわたり同一体を示す。
【発明を実施するための形態】
【００１２】
弾性体上部を円周方向に回転不可能に筐体上部に固着し、筒状に伸びた前記筐体底部に前記弾性体下部に連結して設けた突起部が通過可能な間隙を配設すると共に、前記突起部を前記筐体底部の間隙を通過させた後、円周方向に回転させたとき、例えば定常状態から９０度回転させた位置に前記突起部を支持する機構を配設し、前記弾性体下部に前記突起部を介し魚信を印加可能として自動合わせ機能を有する釣具を実現した。
【実施例１】
【００１３】
以下、図面を参照しながら本発明の実施の形態例について詳細に説明する。
【００１４】
図１から図４は本発明の第１の実施例を示す図で、図１は一部断面で示した定常状態の概略図であるが、弾性体Ｓとしてステンレス製のツルマキバネを使用し、長方形突起部Ｔ及び釣り糸結合部Ｂも同一部材で一体成型し、ローコスト化を実現したものである。
【００１５】
弾性体Ｓの上部にあるフックＦは筐体上部Ｋ１に吊持されると共に、パーティショナーＰ１及びＰ２により狭持され、上下方向、円周方向共に移動不可能に固着されている。
【００１６】
また、断面で示す筒状の筐体下部Ｋ２は筐体上部Ｋ１に設けた接合ネジ部Ｄにより筐体上部Ｋ１と締合一体化されている。
【００１７】
図２は筐体下部Ｋ２の底部から眺めた図で、突起部Ｔは筐体下部Ｋ２の底部に設けた楕円状の間隙Ｈ３の中心かつ平行状態にあり、容易に間隙Ｈ３を行き来することが可能となっている。
【００１８】
図３及び図４は各々図１及び図２に示す定常状態から、突起部Ｔを間隙Ｈ３の外側まで引き出し、更に９０度回転させて同位置にある回転止めの溝Ｍ１にセットしたスタンバイ状態を示す。
【００１９】
この状態から釣り糸結合部Ｂに弾性体Ｓの軸方向の復元力よりも大きな魚信を印加すると、突起部Ｔは回転止めの溝Ｍ１から脱し、同時に弾性体Ｓの円周方向の復元力により瞬時に図２に示すごとく間隙Ｈ３の中心かつ平行状態に転移するので、弾性体Ｓの軸方向の復元力を突起部Ｔを介して釣り糸結合部Ｂに印加することができ、魚信を感知して自動的に合わせ動作をすることが可能となる。
【００２０】
なお、図１及び図３に示す連結穴Ｈ１及びＨ２は延縄漁等において本釣具を多数連結するための連結用の穴で、適当な長さのロープを介し連結される。（図示せず）
【００２１】
また、間隙Ｈ３の短径は弾性体Ｓのツルマキバネの直径よりも小さく設定されており、ツルマキバネの直径部がストッパーとして作動し、ツルマキバネに限界を超える張力が印加されないよう構成されている。
【実施例２】
【００２２】
図５から図８は本発明の第２の実施例を示す図で、筐体上部Ｋ１は中空構造になっており、ウキに適した構造となっている。
【００２３】
図５は一部断面で示した定常状態の概略図であるが、弾性体Ｓとして中空ゴムを使用し、その上部は筐体上部Ｋ１に設けた棒状突起Ｃに上下方向、円周方向共に移動不可能に固着され、その下部には釣り糸結合部Ｂ、棒状の突起部Ｔ及び円盤状のストッパーＡを一体化した棒状の部材Ｅが上部と同様に固着されている。
【００２４】
また、断面で示す筒状の筐体下部Ｋ２は筐体上部Ｋ１に設けた接合ネジ部Ｄにより筐体上部Ｋ１と締合一体化されている。
【００２５】
図６は筐体下部Ｋ２の底部から眺めた図で、突起部Ｔは筐体下部Ｋ２の底部に設けた真円を中心に突起部Ｔが通過可能なスリットが設けられた間隙Ｈ３の中心かつ平行状態にあり、容易に間隙Ｈ３を行き来することが可能となっている。
【００２６】
なお、間隙Ｈ３の中心にある真円部の直径は、部材Ｅの直径よりも僅かに大きく設定されており、弾性体Ｓが振り子状に振動するのを防止している。
【００２７】
図７及び図８は各々図５及び図６に示す定常状態から、突起部Ｔを間隙Ｈ３の外側まで引き出し、更に９０度回転させて同位置にある回転止めの溝Ｍ２にセットしたスタンバイ状態を示す。
【００２８】
この状態から釣り糸結合部Ｂに弾性体Ｓの軸方向の復元力よりも大きな魚信を印加する
と、突起部Ｔは回転止めの溝Ｍ２から脱し、同時に弾性体Ｓの円周方向の復元力により瞬時に図６に示すごとく間隙Ｈ３の中心かつ平行状態に転移するので、弾性体Ｓの軸方向の復元力を突起部Ｔを介して釣り糸結合部Ｂに印加することができ、魚信を感知して自動的に合わせ動作をすることが可能となる。
【００２９】
第１及び第２の実施例も魚信に反応する感度を調節するには、軸方向の張力の異なる弾性体Ｓを適宜交換すれば目的を達成することが可能である。
【００３０】
また反応する感度を微調整するには図９及び図１０に示すごとく、単一の溝ではなく、例えば筐体下部Ｋ２の底部から眺めて定常状態からクロックワイズに４５度、９０度及び１３５度に各々溝Ｍ１、溝Ｍ２及び溝Ｍ３を配置し、なおかつこれらの溝の深度を異とすれば、簡単に目的を達成することが可能である。
【００３１】
なお、図９は定常状態を示し図１０は突起部Ｔを溝Ｍ２にセットしたスタンバイ状態を示すが、突起部Ｔの回転防止用の溝Ｍ１、溝Ｍ２及び溝Ｍ３の代わりに回転障壁を設け、その高さを各障壁ごとに異とすれば、前記同様に簡単に反応感度を微調整することが可能である。（図示せず）
【００３２】
本発明の第１の実施例及び第２の実施例共に筐体下部Ｋ２に数箇所穴を設ければ着水時に速やかに筐体下部Ｋ２内を浸水させることが可能で、逆に筐体下部Ｋ２内に水密性を保持するには筐体下部Ｋ２と釣り糸結合部Ｂ間を蛇腹状物体で包み込めば目的を達成できる。（図示せず）
【００３３】
最後に本発明の第２の実施例を用いて遠投する際の誤動作防止策について図にしたがって説明する。
【００３４】
図１１において、リール（図示せず）を介して釣竿Ｒに結合された釣り糸Ｌを筐体下部Ｋ２に設けた掛け具Ｊを介さず遠投した場合は釣り針Ｎ、錘Ｗ及び撚り戻しＹ等の重量に遠心力が加算された力が印加され、印加される力の方向が魚信の方向と一致するので魚信ありと誤動作する恐れがある。
【００３５】
釣り糸Ｌを図示するように掛け具Ｊを介すると、前記遠投時の力は掛け具Ｊにより魚信とは逆方向の力に変換されるので誤動作することがない。
【００３６】
図１２は遠投後着水した直後の状態で、釣り糸Ｌが掛け具Ｊの上に乗っている状態を示しており、この状態から図１１に示す釣竿Ｒをしゃくってやれば、容易に釣り糸Ｌは掛け具Ｊから解放されウキ止めＧが釣り糸結合部Ｂに接する図１３に示す状態となり、魚信に対応可能な状態となる。
【産業上の利用可能性】
【００３７】
本発明は一定量の張力印加をトリガーとして逆方向の張力を新たに生成し、この張力を釣の合わせ動作に応用したものであるが、漁業以外にも害獣駆除のわな、弾性体Ｓの位置情報を利用したセンサー、警報機等に利用可能である。
【符号の説明】
【００３８】
Ｋ１：筐体上部  Ｋ２：筐体下部  Ｓ：弾性体  Ｔ：突起部  Ｂ：釣り糸結合部  
Ｈ３：間隙  Ｍ１、Ｍ２、Ｍ３：回転止めの溝  Ｄ：締合ネジ部  Ｈ１、Ｈ２：連結穴
Ｐ１、Ｐ２：パーティショナー  Ｆ：フック  Ｃ：棒状突起  Ａ：円盤状のストッパー
Ｅ：結合部Ｂ、突起部Ｔ及びストッパーＡを一体化した棒状部材  Ｇ：ウキ止め
Ｊ：掛け具  Ｙ：撚り戻し  Ｗ：錘  Ｎ：釣り針  Ｌ：釣り糸  Ｒ：釣竿
【図１】
2017112874.tif 000003
【図２】
2017112874.tif 000004
【図３】
2017112874.tif 000005
【図４】
2017112874.tif 000006
【図５】
2017112874.tif 000007
【図６】
2017112874.tif 000008
【図７】
2017112874.tif 000009
【図８】
2017112874.tif 000010
【図９】
2017112874.tif 000011
【図１０】
2017112874.tif 000012
【図１１】
2017112874.tif 000013
【図１２】
2017112874.tif 000014
【図１３】
2017112874.tif 000015